(57)【要約】【課題】被照射体が大きい場合であっても、ノイズの少ない画像を得ることができるＸ線ＣＴ装置を提供する。【解決手段】Ｘ線ＣＴ装置１では、被照射体３０が大きいことにより、Ｘ線検出器９の可視化領域３１に収まらない場合、画像再構成部１７は、検出された検出Ｘ線画像データが存在する領域よりも外側部分に仮想的なデータを付与する。すなわち、画像再構成部１７は、被照射体３０のうち、可視化領域３１に収まらない部分に対して、仮想的なデータを付与しておく。そして、画像再構成部１７は、外側部分の仮想的なデータを含めたＸ線画像データを用いて第１の再構成を実行する。これにより、画像再構成部１７は、外側部分の仮想的なデータを含めたＸ線画像データを用いることで、アーチファクトが低減された再構成画像を得ることができる。【選択図】図３
2018196604.tif 000002
【特許請求の範囲】
【請求項１】
被照射体が載置される載置部周りに周回可能であり、Ｘ線を照射するＸ線照射部と、
前記Ｘ線照射部から照射されて前記被照射体を通過したＸ線を可視化領域において検出するＸ線検出部と、
前記Ｘ線検出部で検出された検出Ｘ線画像データに基づいて、前記被照射体の断層の画像を再構成する画像再構成部と、を備え、
前記画像再構成部は、前記被照射体が前記可視化領域に収まらない場合、前記検出Ｘ線画像データが存在する領域よりも外側部分に仮想的なデータを付与し、前記外側部分の前記仮想的なデータを含めたＸ線画像データを用いて第１の再構成を実行する、Ｘ線ＣＴ装置。
【請求項２】
前記画像再構成部は、前記第１の再構成の後、取得された画像の一部の領域において、画素数を増加させて第２の再構成を実行する、請求項１に記載のＸ線ＣＴ装置。
【発明の詳細な説明】
【技術分野】
【０００１】
本発明は、Ｘ線ＣＴ装置に関する。
【背景技術】
【０００２】
従来、被照射体の断層の画像の再構成を行うＸ線ＣＴ装置が搭載された荷電粒子線治療装置として、特許文献１に記載されたものが知られている。Ｘ線ＣＴ装置は、被照射体にＸ線を照射してＸ線検出部にて、被照射体を通過したＸ線画像データを取得する。また、Ｘ線ＣＴ装置は、検出されたＸ線画像データに基づいて、画像の再構成を行う。
【先行技術文献】
【特許文献】
【０００３】
【特許文献１】特開２０１４−１２４２０６号公報
【発明の概要】
【発明が解決しようとする課題】
【０００４】
ここで、Ｘ線画像データを用いた画像の再構成の手法として解析的手法と代数的手法とが挙げられる。解析的手法は、Ｘ線画像データ中のノイズをそのまま再構成した画像に反映させてしまうため、再構成した画像にノイズが多い。このようなノイズを低減するためには、Ｘ線照射部が照射するＸ線の量を多くする必要がある。また、被照射体が大きくなる（例えば身体の大きな患者が被照射体である）場合、取得される画像内において、被照射体の輪郭周辺が白く飛んでしまうという問題が生じる。そして、代数的手法の場合は、Ｘ線画像データ中のノイズをそのまま再構成した画像に反映させないため、再構成した画像にノイズが少ないものの、大きな被照射体の場合、ＣＴ装置で撮像して画像の再構成を行う可視化領域内に被照射体が収まりきらなくなり、画像の再構成が行えない場合がある。
【０００５】
そこで本発明は、被照射体が大きい場合であっても、ノイズの少ない画像を得ることができるＸ線ＣＴ装置を提供することを目的とする。
【課題を解決するための手段】
【０００６】
上記課題を解決するため、本発明に係るＸ線ＣＴ装置は、被照射体が載置される載置部周りに周回可能であり、Ｘ線を照射するＸ線照射部と、Ｘ線照射部から照射されて被照射体を通過したＸ線を可視化領域において検出するＸ線検出部と、Ｘ線検出部で検出された検出Ｘ線データに基づいて、被照射体の断層の画像を再構成する画像再構成部と、を備え、画像再構成部は、被照射体が可視化領域に収まらない場合、検出された検出Ｘ線画像データが存在する領域よりも外側部分に仮想的なデータを付与し、外側部分の前記仮想的なデータを含めたＸ線画像データを用いて第１の再構成を実行する。
【０００７】
本発明に係るＸ線ＣＴ装置では、被照射体が大きいことにより、Ｘ線検出部の可視化領域に収まらない場合、画像再構成部は、検出された検出Ｘ線画像データが存在する領域よりも外側部分に仮想的なデータを付与する。すなわち、画像再構成部は、被照射体のうち、可視化領域に収まらない部分に対して、仮想的なデータを付与しておく。そして、画像再構成部は、外側部分の仮想的なデータを含めたＸ線画像データを用いて第１の再構成を実行する。これにより、画像再構成部は、外側部分の仮想的なデータを含めたＸ線画像データを用いることで、再構成を行う再構成領域に被照射体全体を収めた状態で再構成を行う事ができる。従って、被照射体が実際に可視化領域に収まっている場合の検出Ｘ線画像データを再構成した画像のように、アーチファクトが低減された再構成画像を得ることができる。以上により、被照射体が大きい場合であっても、ノイズの少ない画像を得ることができる。
【０００８】
Ｘ線ＣＴ装置において、画像再構成部は、第１の再構成の後、取得された画像の一部の領域において、画素数を増加させて第２の再構成を実行してよい。これにより、第１の再構成では、画像の鮮明さよりも、演算の負荷を低減することを優先させ、画像再構成部は、画素数を低下させた状態で再構成を行うことが可能となる。そして、画像再構成部は、必要な領域については、第２の再構成を実行することで、画素数の高い画像を得ることができる。これによって、再構成の演算の負荷を低減しつつ、必要な領域については画素数の高い鮮明な映像を得ることができる。
【発明の効果】
【０００９】
本発明によれば、被照射体が大きい場合であっても、ノイズの少ない画像を得ることができるＸ線ＣＴ装置を提供することができる。
【図面の簡単な説明】
【００１０】
【図１】本実施形態に係るＸ線ＣＴ装置が組み込まれた荷電粒子線治療システムを示す図である。
【図２】荷電粒子線治療システムの回転ガントリを示す斜視図である。
【図３】Ｘ線ＣＴ装置の機能的な構成要素を示すブロック図である。
【図４】回転軸線に直交する断面上においてＸ線管とＸ線検出器との位置関係を示す図である。
【図５】（ａ）は、被照射体に対する可視化領域を示す模式図であり、（ｂ）は、被照射体に対する再構成領域を示す模式図である。
【図６】（ａ）は、可視化領域内の被照射体を示す画像の例であり、（ｂ）は、（ａ）を用いて再構成した場合の画像の例である。
【図７】画像再構成部が被照射体の画像を再構成する際の制御処理を示すフローチャートである。
【図８】（ａ）は、被照射体が大きく、可視化領域に収まらない場合に、本実施形態のＸ線ＣＴ装置の画像再構成部が図７に示す処理を行うことによって得られる画像の例を示し、（ｂ）は、被照射体が小さく、可視化領域に収まる場合に、再構成を行うことで得られる画像の例を示す。
【発明を実施するための形態】
【００１１】
以下、図面を参照しつつ本発明に係るＸ線ＣＴ装置の実施形態について詳細に説明する。図１及び図２に示されるように、本実施形態のＸ線ＣＴ装置１は、荷電粒子線治療システム５１（例えば陽子線治療システム）に組み込まれている。荷電粒子線治療システム５１は、例えば、患者Ｐ（被照射体）の内部の病巣（例えば、腫瘍等）に対して、荷電粒子線を照射して治療を行う装置である。荷電粒子線治療システム５１は、荷電粒子（例えば水素イオン）を加速して荷電粒子線（陽子線）を出射する加速器５２と、荷電粒子線を患者Ｐに照射する照射部（照射ノズル）３と、照射部３を患者Ｐが載置される治療台７の周囲で回転軸線Ａ周りに回転させる回転ガントリ１３と、加速器５２と照射部３とを接続して加速器５２から出射された荷電粒子線を照射部３まで輸送する輸送ライン５４と、を備えている。
【００１２】
Ｘ線ＣＴ装置１は、ＣＢＣＴ装置（コーンビームＣＴ装置）と呼ばれるタイプのＣＴ装置であり、荷電粒子線治療システム５１の治療台７上での患者Ｐの位置を正確に合わせる目的で使用される。具体的には、陽子線照射治療に先立ち、治療台７にセッティングされた状態における患者Ｐの断層画像（ＣＴ画像）がＸ線ＣＴ装置１を用いて作成され、このＣＴ画像に基づいて患者Ｐの病巣等の位置が認識される。このＸ線ＣＴ装置１によるＣＴ画像が、事前に別のＣＴ装置で作成された患者Ｐの治療計画ＣＴ画像と比較されて、治療台７上における患者Ｐの位置合わせが行われる。なお、治療台７上における患者Ｐの位置合わせが、Ｘ線ＣＴ装置１によるＣＴ画像に基づいて直接行われてもよい。
【００１３】
Ｘ線ＣＴ装置１は、患者ＰにＸ線を照射するＸ線管５（Ｘ線照射部）と、患者Ｐを載置する治療台７（載置部）と、Ｘ線を検出するＸ線検出器（Ｘ線検出部）９と、を備えている。図２に示されるように本実施形態のＸ線ＣＴ装置１はＸ線管５とＸ線検出器９との組を２組備えているが、Ｘ線管５とＸ線検出器９との組は１組であってもよい。更に、Ｘ線ＣＴ装置１は、Ｘ線検出器９で検出したＸ線に基づいて、患者Ｐの内部のＣＴ画像を生成する画像再構成部１７と、を備えている。また、図３に示されるように、Ｘ線ＣＴ装置１は、Ｘ線管５、Ｘ線検出器９、回転ガントリ１３（支持部）、及び画像再構成部１７を制御する制御部１０を備えている。画像再構成部１７は、再構成領域調整部１７ａと、再構成処理部１７ｂと、を備える。画像再構成部１７の機能については後述する。
【００１４】
図２に示されるように、Ｘ線管５とＸ線検出器９とは上記の回転ガントリ１３によって支持され回転可能に構成されており、Ｘ線管５及びＸ線検出器９が一体として回転軸線Ａ周りに回転する。すなわち、Ｘ線管５とＸ線検出器９は、治療台７周りに周回可能である。なお、本実施形態では、Ｘ線管５及びＸ線検出器９が回転軸線Ａを中心とする円軌道で回転する場合を例として説明する。Ｘ線管５は、当該Ｘ線管５を頂点とする円錐状のＸ線のビーム（コーンビーム）を治療台７に向けて照射する。Ｘ線検出器９は、ＦＰＤ（Flat Panel Ditector）であり、Ｘ線管５からのＸ線を検出する多数の検出画素９ａを有する。検出画素９ａは、Ｘ線検出器９において上記の円錐の軸に直交する平面上で２次元に配置されている。
【００１５】
Ｘ線管５とＸ線検出器９とは、回転ガントリ１３上において、治療台７を挟んで互いに反対側の位置に配置されている。Ｘ線管５からＸ線が照射され、治療台７上の患者Ｐを通過したＸ線がＸ線検出器９に検出され、Ｘ線検出器９には患者ＰのＸ線画像データが取得される。このとき回転ガントリ１３が所定の角度（例えば約１８０°）回転することで、投射角度を変えながら、各投射角度に対応するＸ線画像データを収集することができる。またこのとき、患者Ｐが載置される治療台７は、建物の床に固定された支持装置７ａにより支持されており、回転ガントリ１３の回転とは無関係に患者Ｐは回転軸線Ａの近傍に配 置される。そして、画像再構成部１７は、Ｘ線検出器９で収集された上記のＸ線画像データに基づいて、所定の演算による画像再構成処理を実行し、患者Ｐの内部のＣＴ画像を生成する。
【００１６】
続いて、Ｘ線ＣＴ装置１の画像再構成部１７が、Ｘ線検出器９で収集されたＸ線画像データに基づいて患者ＰのＣＴ画像（断層画像）を生成する画像再構成処理について説明する。ここでは、回転軸線Ａに直交する平断面に沿った断層のＣＴ画像が生成されるものとする。Ｘ線検出器９は、各検出画素９ａで検出されたＸ線強度を示す検出データを電気信号として画像再構成部１７に出力し、画像再構成部１７は入力された上記検出データに基づいて所定の画像再構成処理を行い、患者ＰのＣＴ画像を得る。例えば、画像再構成部１７は、予め準備された画像再構成処理プログラムに従って動作するコンピュータで構成される。画像再構成部１７が備える前述の再構成領域調整部１７ａと再構成処理部１７ｂは、上記のようなコンピュータの動作により実現される構成要素である。この画像再構成処理では逐次近似法が用いられる。逐次近似法による画像再構成は、代数的手法または統計的手法とも呼ばれる。
【００１７】
この種のＣＢＣＴ装置においては、投射角度を変えながら（すなわち、回転ガントリ１３を回転しながら）Ｘ線管５からＸ線検出器９にＸ線を照射する場合に、すべての投影角度においてＸ線検出器９の検出データが取得される領域Ｒ１が、Ｘ線管５とＸ線検出器９との間に存在する（図４参照）。
【００１８】
ここで、Ｘ線検出器９の検出データが取得されるためのＸ線の経路は、Ｘ線管５とＸ線検出器９の各々の検出画素９ａとを結ぶ線分で表される。これらの線分のすべてを含む領域が、ある投射角度において検出データが取得可能な被検出領域Ｔである。図４に示されるように、ＣＴ画像の対象となる断層に沿った平断面上で考えると、上記の被検出領域Ｔは、Ｘ線管５を頂点とし線分９ｓを底辺とする三角形で表される。なお、上記の線分９ｓは、Ｘ線検出器９上においてＸ線管５からのＸ線を検出する検出画素９ａが存在する範囲に相当する。
【００１９】
なお、回転軸線Ａを中心として被検出領域Ｔを回転させたときに、すべての回転させた被検出領域Ｔが互いに重複する領域は、回転させた上記三角形のすべてに内接する円Ｃで表される。ＣＴ画像の対象となる断層に沿った平断面上においては、この円Ｃで囲まれる内側の領域が上記の領域Ｒ１に相当する。なお、このような領域Ｒ１は、ＦＯＶ(Field of View)などと呼ばれる場合もある。なお、領域Ｒ１が、後述の「可視化領域」に対応する。
【００２０】
次に、画像再構成部１７の処理についてより詳細に説明する。なお、説明のために、図５では画像再構成の対象物として、円形の被照射体３０（ファントムと称される場合もある）を用いるものとする。治療を行う際は、被照射体３０は患者Ｐに置き換えられる。また、図５では、Ｘ線検出器９がＸ線画像データを取得可能な領域を可視化領域３１と称する。また、Ｘ線画像データのうち、可視化領域３１内で実際に取得されたＸ線画像データを「検出Ｘ線画像データ」と称することで、後述の仮想的なデータと区別する。
【００２１】
患者Ｐの身体が大きい場合などのように、被照射体３０が大きい場合、図５（ａ）及び図６（ａ）に示すように、被照射体３０の外縁側の一部が可視化領域３１からはみ出てしまう。このように被照射体３０の一部が可視化領域３１からはみ出たような画像では、図６（ａ）のように、画像の枠で被照射体３０が切れることで、被照射体３０の実際の輪郭とは異なる形状である直線部分３０ａが生じてしまう。このような検出Ｘ線画像データをそのまま用いて再構成を行った場合、直線部分３０ａが再構成後の画像に反映されてしまうことで、図６（ｂ）に示すようなアーチファクトの大きい画像が取得される。
【００２２】
従って、画像再構成部１７の再構成領域調整部１７ａは、被照射体３０が可視化領域３１に収まらない場合、データ上において、検出された検出Ｘ線画像データが存在する領域よりも外側部分に仮想的なデータを付与する。これにより、再構成領域調整部１７ａは、再構成を行うための再構成領域３２（図５（ａ）参照）内に被照射体３０の全体が含まれるように、再構成領域３２の大きさを調整することができる。画像再構成部１７の再構成領域調整部１７ａは、Ｘ線検出器９によるすべての投影角度で得られた検出Ｘ線画像データに対して、再構成領域３２の調整を行う。
【００２３】
具体的には、画像再構成部１７の再構成領域調整部１７ａは、図５（ａ）に示すように、被照射体３０が可視化領域３１に収まらない場合、図５（ｂ）に示すように、再構成領域３２を拡大する。再構成領域３２とは、再構成を行うために設定された領域である。再構成領域３２は、少なくとも被照射体３０の全体が含まれるような大きさに設定される。このように各領域を設定する場合、可視化領域３１内の各部分に対してはＸ線検出器９で実際に検出された検出Ｘ線画像データが存在している。
【００２４】
一方、可視化領域３１の外側の領域、すなわち再構成領域３２と可視化領域３１との間の矩形環状の領域は、Ｘ線検出器９での検出がなされていないため、検出画像Ｘ線データが存在していない。従って、画像再構成部１７の再構成領域調整部１７ａは、当該領域に仮想的なデータを付与する。なお、仮想データが付与される領域のうち、被照射体３０が存在する部分３４は、０以上の任意の値を設定すればよい。例えば、検出画像データのうち、被照射体３０の何れかの箇所の値（腫瘍などの特殊な部分ではなく）を用いてよい。仮想データが付与される領域のうち、被照射体３０が存在しない部分３３は、０の値を設定すればよい。
【００２５】
画像再構成部１７の再構成処理部１７ｂは、外側部分を含めたＸ線データ、すなわち、再構成領域３２内に設定された、実際の検出画像データ及び仮想データを組み合わせたＸ線画像データ（検出Ｘ線画像データと区別するために、「調整Ｘ線画像データ」と称する場合がある）を用いて、第１の再構成を実行する。前述のように、Ｘ線検出器９によってそれぞれの投影角度について得られた複数の検出Ｘ線画像データは、再構成領域調整部１７ａによって、全て再構成領域３２の調整が行われている。従って、再構成処理部１７ｂは、再構成領域３２調整後の複数の調整Ｘ線画像データを用いて、第１の再構成を行う。なお、再構成とは、Ｘ線検出器９によって複数の投影角度から得られた複数のＸ線画像データを組み合わせることで（複数のＸ線画像データから推定される、尤もらしい分布を求めることで）、被照射体３０の三次元画像を生成することである。
【００２６】
画像再構成部１７の再構成処理部１７ｂは、第１の再構成では、仮想的なデータを含む調整Ｘ線画像データを用いて再構成を行うため、画像の鮮明さよりも、演算の負荷を低減することを優先させ、画素数を低下させた状態で再構成を行ってよい。そして、画像再構成部１７の再構成処理部１７ｂは、第１の再構成の後、取得された画像の一部の領域において、画素数を増加させて第２の再構成を実行する。例えば、画像再構成部１７は、被照射体３０の中心付近の領域（患者Ｐの場合は腫瘍付近の領域）の画素数を増加させてよい。または、画像再構成部１７の再構成処理部１７ｂは、検出Ｘ線画像データが存在する可視化領域３１に対応する領域の画素数を増加させてもよい。
【００２７】
次に、画像再構成部１７が被照射体３０の画像を再構成する際の制御処理について、図７のフローチャートを参照して説明する。
【００２８】
まず、画像再構成部１７の再構成領域調整部１７ａは、Ｘ線検出器９からそれぞれの投影角度における検出Ｘ線画像データを取得する（ステップＳ１０）。次に、再構成領域調整部１７ａは、全ての検出Ｘ線画像データについて、被照射体３０が再構成領域３２（図５（ｂ）参照）に含まれるように、再構成領域３２を調整する（ステップＳ２０）。Ｓ２０では、再構成領域調整部１７ａは、検出Ｘ線画像データが存在する領域よりも外側部分に仮想的なデータを付与する。なお、仮想的なデータの付与は、装置側にて自動的に実行されてもよく、使用者が任意のデータを入力することによって実行されてもよい。
【００２９】
次に、再構成処理部１７ｂは、Ｓ２０で調整した、外側部分を含めた再構成領域３２における調整Ｘ線画像データを用いて第１の再構成を実行する（ステップＳ３０）。Ｓ３０では、再構成処理部１７ｂは、再構成領域３２全体について画素数を落とした状態で第１の再構成を実行する。これにより、再構成処理部１７ｂは、少ない演算負荷によって速やかに第１の再構成を実行することができる。ただし、再構成処理部１７ｂは、画素数を落とさずに第１の再構成を実行してもよい。
【００３０】
次に、再構成処理部１７ｂは、Ｓ３０で再構成した画像のうち、画素数を増加させる領域をどこにするかを設定する（ステップＳ４０）。なお、画素数を増加させる領域の設定は、再構成処理部１７ｂが画像を解析して自動的に行ってもよく、ユーザーの選択によって設定してもよい。Ｓ４０の処理の後、再構成処理部１７ｂは、Ｓ４０で設定した画像の一部の領域において、画素数を増加させて再構成する第２の再構成を実行する（ステップＳ５０）。以上によって、再構成された画像が完成し、図７に示す処理が終了する。
【００３１】
次に、本実施形態に係るＸ線ＣＴ装置１の作用・効果について説明する。
【００３２】
本実施形態に係るＸ線ＣＴ装置１では、被照射体３０が大きいことにより、Ｘ線検出器９の可視化領域３１に収まらない場合、画像再構成部１７は、検出された検出Ｘ線画像データが存在する領域よりも外側部分（再構成領域３２と可視化領域３１との間の領域）に仮想的なデータを付与する。すなわち、画像再構成部１７は、被照射体３０のうち、可視化領域３１に収まらない部分に対して、仮想的なデータを付与しておく。そして、画像再構成部１７は、外側部分の仮想的なデータを含めた調整Ｘ線画像データを用いて第１の再構成を実行する。これにより、画像再構成部１７は、外側部分の仮想的なデータを含めた調整Ｘ線画像データを用いることで、再構成を行う再構成領域３２に被照射体３０全体を収めた状態で再構成を行う事ができる。従って、被照射体３０が実際に可視化領域３１に収まっている場合の検出Ｘ線画像データを再構成した画像のように、アーチファクトが低減された再構成画像を得ることができる。以上により、被照射体が大きい場合であっても、ノイズの少ない画像を得ることができる。
【００３３】
例えば、図８（ｂ）は、被照射体３０が小さく、可視化領域３１に収まる場合に、再構成を行うことで得られる画像の例を示す。図８（ａ）は、被照射体３０が大きく、可視化領域３１に収まらない場合に、本実施形態のＸ線ＣＴ装置１の画像再構成部１７が図７に示す処理を行うことによって得られる画像の例を示す。図８（ａ）の画像は、図６（ｂ）に示す画像に比してアーチファクトが大幅に低減されており、図８（ｂ）の画像とほぼ同等なノイズの少ない画像となっていることが理解される。
【００３４】
Ｘ線ＣＴ装置１において、画像再構成部１７は、第１の再構成の後、取得された画像の一部の領域において、画素数を増加させて第２の再構成を実行してよい。これにより、第１の再構成では、画像の鮮明さよりも、演算の負荷を低減することを優先させ、画像再構成部１７は、画素数を低下させた状態で再構成を行うことが可能となる。そして、画像再構成部１７は、必要な領域（例えば中央付近）については、第２の再構成を実行することで、画素数の高い画像を得ることができる。これによって、再構成の演算の負荷を低減しつつ、必要な領域については画素数の高い鮮明な映像を得ることができる。例えば、図８（ａ）の画像では、中央位置付近は第２の再構成がなされることで画素が高く、外縁部付近は第２の再構成がなされておらず、画素が低い。しかしながら、外縁部付近は、もともと仮想的なデータに基づいて再構成された箇所であり、鮮明な画像は必要とされていない箇所であるため、画素が低くても画像全体としての鮮明さに影響がない。従って、そのような外縁部付近の画素を下げておくことで、処理全体としての演算の負荷を低減できる。なお、検出Ｘ線画像データの取得時は、観察対象（すなわち鮮明な画像が要求される箇所）となる腫瘍などが中央位置に配置されるように位置調整がなされる。従って、仮想的なデータが付与される箇所には、鮮明な画像が要求される対象物は配置されない。
【００３５】
本発明は、上述の実施形態に限定されるものではない。
【００３６】
例えば、上述の実施形態では、荷電粒子線治療システム５１として、陽子線治療システムに組み込まれたＸ線ＣＴ装置１を例として説明したが、陽子線治療システムに限られず、例えば、重粒子（重イオン）線、パイ中間子線等の荷電粒子線を用いた治療システムに対しても、本実施形態に係るＸ線ＣＴ装置１を適用することができる。また、Ｘ線ＣＴ装置１は、荷電粒子線治療システム５１等の放射線治療システムに取り付けられる構成に限らず、Ｘ線ＣＴ装置単体として設けられた構成としてもよい。
【００３７】
また、上述の実施形態では、第１の再構成及び第２の再構成を行っているが、第１の再構成のみが行われてもよい。その場合、第１の再構成では画像の画素を落とさなくてよい。
【符号の説明】
【００３８】
１…Ｘ線ＣＴ装置、５…Ｘ線管（Ｘ線照射部）、７…治療台（載置部）、９…Ｘ線検出器（Ｘ線検出部）、１７…画像再構成部、３０…被照射体、５１…荷電粒子線治療システム、Ｐ…患者（被照射体）。
【図１】
2018196604.tif 000003
【図２】
2018196604.tif 000004
【図３】
2018196604.tif 000005
【図４】
2018196604.tif 000006
【図５】
2018196604.tif 000007
【図６】
2018196604.tif 000008
【図７】
2018196604.tif 000009
【図８】
2018196604.tif 000010